(57)【要約】【課題】複雑な構造を採用することなく、商品見本を容易に展示可能であるとともに光源用の電源を確保可能とした商品見本展示装置を提供すること。【解決手段】自動販売機におけるフロント扉の商品見本収納空間１２内に商品見本を展示するための商品見本展示装置であって、商品見本を照らすための光源７と、商品見本を支持するための支持部材２を具備して、前記光源７は自動販売機における商品選択ボタンに電源を供給する導線に接続することで電源を得ることを可能にしており、支持部材２に商品見本を支持し、前記光源７を自動販売機における商品選択ボタンに電源を供給する導線に接続することで光源７を点灯させ、光源７によって商品見本を照らして、商品見本を目立たせることを可能とし、これにより、複雑な構造を用いることなく、商品見本の展示作業を容易にするとともに、光源の電源を確保可能にした。【選択図】図１
2011221849.tif 000002
【特許請求の範囲】
【請求項１】
自動販売機におけるフロント扉の商品見本収納空間（１２）内に商品見本を展示するための自動販売機における商品見本展示装置であって、
商品見本を照らすための光源（７）と、
商品見本を支持するための支持部材（２）と、を具備して、
前記光源（７）は、自動販売機における商品選択ボタンに電源を供給する導線に接続することで電源を得ることを可能にしたことを特徴とする自動販売機における商品見本展示装置。
【請求項２】
前記支持部材（２）は、自動販売機のフロント扉に係止可能とした、ことを特徴とする請求項１に記載の自動販売機における商品見本展示装置。
【請求項３】
前記支持部材（２）が商品見本を前記光源（７）の前面側で支持することを特徴とする請求項２に記載の自動販売機における商品見本展示装置。
【請求項４】
前記支持部材（２）を透光性の素材により形成したことを特徴とする請求項２又は請求項３に記載の自動販売機における商品見本展示装置。
【請求項５】
前記支持部材（２）は、前記光源（７）に電気的に接続される導線（５）を有するとともに、該導線（５）は、自動販売機における商品選択ボタンに電源を供給する導線に接続される連結部（４）を有して、前記光源（７）を前記導線（５）に接続するとともに前記連結部（４）を自動販売機における商品選択ボタンに電源を供給する導線に接続することで、前記光源（７）を自動販売機における商品選択ボタンに電源を供給する導線に接続可能にすることとしたことを特徴とする請求項２乃至請求項４のいずれかに記載の自動販売機における商品見本展示装置。
【請求項６】
前記支持部材（２）に、任意の文字、模様等を表示したことを特徴とする請求項２乃至請求項５のいずれかに記載の自動販売機における商品見本展示装置。
【請求項７】
前記支持部材（２）が、前記光源（７）に支持されることを特徴とする請求項１に記載の自動販売機における商品見本展示装置。
【請求項８】
前記支持部材（２）は、支持部（２０１）と、前記光源（７）に周設する形態で光源（７）に被せられる係止部（２０３）と、前記支持部（２０１）と係止部（２０３）を連通する連通部（２０２）とで構成されるとともに全体を硬質素材で形成し、前記係止部（２０３）を前記光源（７）に被せることで光源（７）に支持されることとしたことを特徴とする請求項７に記載の自動販売機における商品見本展示装置。
【発明の詳細な説明】
【技術分野】
【０００１】
本発明は自動販売機における商品見本展示装置に係り、より詳しくは、自動販売機において、複雑な構造を採用することなく、商品見本の展示作業を容易にすることを可能とした商品見本展示装置に関する。
【背景技術】
【０００２】
自動販売機においては、販売している商品の内容を利用者に知らせるために、フロント扉の内部に商品見本を展示している。
【０００３】
ここで、図１０及び図１１は自動販売機における商品見本の展示方法を説明するための図であり、図１０は自動販売機の一部切欠斜視図、図１１は図１０における縦断側面図であり、図において３１が自動販売機である。そして、一般的に自動販売機３１は、開閉自在としたフロント扉３２を有しており、このフロント扉３２の内部に商品見本を展示する構造となっている。
【０００４】
即ち、フロント扉３２は、商品見本収納空間３３が内部に形成されたフロント扉本体３４を有しており、このフロント扉本体３４は、商品見本収納空間３３に対向する部分が透明な窓部となっており、この窓部には商品選択ボタン３９が備えられている。また、フロント扉本体３４には、商品見本収納空間３３を後側から閉鎖可能なように後方側扉３５が回動自在に装着されている。
【０００５】
そして、後方側扉３５には、側面形状を鉤状としたサンプルステージ３６が多段に亘って装着されており、このサンプルステージ３６の上面には孔が形成され、この孔の上方に、複数の商品見本３７が装着されている。
【０００６】
また、前記サンプルステージ３６における孔の下側、及び、商品見本収納空間３３の上部には蛍光灯による光源３８が装着され、これにより、光源３８を点灯することで、商品見本３７を浮き上がらすようにしている。
【先行技術文献】
【特許文献】
【０００７】
【特許文献１】特開平０５−３２４９９９号公報
【特許文献２】特開２００３−２２８７５６号公報
【発明の概要】
【発明が解決しようとする課題】
【０００８】
このように、従来は、後方側扉３５にサンプルステージ３６が多段に亘って装着され、このサンプルステージ３６の上に商品見本３７が装着されるとともに、商品見本収納空間３３の上部及びサンプルステージ３６の下側に光源としての蛍光灯３８を配置していた。
【０００９】
そのために、従来の方法では、光源としての蛍光灯のための電源を確保しなければならず、また構造も複雑になり、コスト高になるとともに、見本の装着作業も面倒であり、更に、サンプルステージ３６の存在等により影ができてしまう等の問題点も指摘されていた。
【００１０】
また、後方側扉にサンプルステージを装着していたために、例えば、季節に合わせた商品宣伝のためのポスターを後方側扉に装着する場合には、このポスターを装着する箇所が少なく、例えばサンプルステージ間に細長いポスターを横向きにして装着しなければならず、大きいポスターや看板を自由に装着することができず、装着作業にも手間がかかっていた。
【００１１】
そこで、本発明は、複雑な構造を採用することなく、商品見本を展示可能であるとともに光源用の電源を容易に確保可能であり、商品見本の装着作業も容易であり、更に電力コストを抑えることもできる自動販売機における商品見本展示装置を提供することを課題としている。
【課題を解決するための手段】
【００１２】
本発明の自動販売機における商品見本展示装置は、
自動販売機におけるフロント扉の商品見本収納空間内に商品見本を展示するための自動販売機における商品見本展示装置であって、
商品見本を照らすための光源と、
商品見本を支持するための支持部材と、を具備して、
前記光源は、自動販売機における商品選択ボタンに電源を供給する導線に接続することで電源を得ることを可能にしたことを特徴としている。
【発明の効果】
【００１３】
本発明の自動販売機における商品見本展示装置では、商品見本を照らすための光源と、商品見本を支持するための支持部材を有しており、光源は、自動販売機における商品選択ボタンに電源を供給する導線に接続することで電源を得ることを可能にしている。
【００１４】
このように、本発明の自動販売機における商品見本展示装置では、光源を自動販売機における商品選択ボタンに電源を供給する導線に接続することで、光源の電源を得ることを可能にしているため、特に複雑な構造を採用することなく、光源の電源を確保することができる。
【００１５】
また、従来の商品見本の展示方法と異なり、従来の展示方法において使用されていた後方側扉に装着されたサンプルステージを不要としているために、後方扉の全面を自由に使用することができるので、商品宣伝を表示したポスターや、電飾パネルを自由に装着することが可能となり、ポスター等の商品広告の装着が容易となった。
【図面の簡単な説明】
【００１６】
【図１】本発明の自動販売機における商品見本展示装置の実施例を説明するための斜視図である。
【図２】本発明の自動販売機における商品見本展示装置の実施例の側面を示す図である。
【図３】本発明の自動販売機における商品見本展示装置の実施例の作用を説明するための図である。
【図４】本発明の自動販売機における商品見本展示装置の他の形態を説明するための斜視図である。
【図５】本発明の自動販売機における商品見本展示装置の他の形態を説明するための斜視図である。
【図６】本発明の自動販売機における商品見本展示装置の他の形態を説明するための斜視図である。
【図７】本発明の自動販売機における商品見本展示装置の他の形態を説明するための斜視図である。
【図８】本発明の自動販売機における商品見本展示装置の他の形態を説明するための斜視図である。
【図９】本発明の自動販売機における商品見本展示装置の他の形態を説明するための斜視図である。
【図１０】従来の商品見本展示方法を説明するための図である。
【図１１】従来の商品見本展示方法を説明するための図である。
【発明を実施するための形態】
【００１７】
本発明の自動販売機における商品見本展示装置では、商品見本を照らすための光源を有している。
【００１８】
また、本発明の自動販売機における商品見本展示装置では、商品見本を支持するための支持部材を有している。
【００１９】
そして、前記光源は、自動販売機における商品選択ボタンに電源を供給する導線に接続することで電源を得ることを可能にしており、これによって、光源の電源として商品選択ボタンに供給される電源を使用可能にして、複雑な構造を採用することなく、光源の電源を確保可能としている。
【００２０】
ここで、前記支持部材を、自動販売機のフロント扉に係止可能にするとよく、それにより、商品見本を支持した支持部材をフロント扉に係止することのみで自動販売機におけるフロント扉の商品見本収納空間内に商品見本を展示することができるので、商品見本の装着作業が極めて容易であるとともに、サンプルステージが不要になる。従って、複雑な構造を用いる必要もなくなり、サンプルステージの存在による陰ができることも無くなり、更に、商品収納空間の背後側がフリーな状態になり、この部分に商品広告のためのポスター、看板、電飾等を備えることが可能となる。
【００２１】
また、前記支持部材を、商品見本を前記光源の前面側で支持可能な配置で備えると良く、これにより、光源が効果的に商品見本を照らすことが可能となる。
【００２２】
更に、前記支持部材を、例えばＰＥＴ等の樹脂製の柔軟で透光性を有する素材により形成するとよく、これにより、支持部材の後方側も明るくすることが可能となる。
【００２３】
また、前記支持部材は、前記光源に電気的に接続される導線を有するとともに、この導線に、自動販売機における商品選択ボタンに電源を供給する導線に接続される連結部を備えて、前記光源を前記導線に接続するとともに前記連結部を自動販売機における商品選択ボタンに電源を供給する導線に接続することで、前記光源を自動販売機における商品選択ボタンに電源を供給する導線に接続可能にするとよく、これにより、支持部材を自動販売機における商品選択ボタンに電源を供給する導線に接続するのみで、光源の電源を確保することが可能となる。
【００２４】
更に、前記支持部材に、任意の文字、模様等を表示するとよく、これにより、商品見本の背後側にあるバックパネルに、支持部材に描いた文字、模様等を映し出すことが可能となる。
【００２５】
またその他、前記支持部材を前記光源で支持する構成にしてもよく、これによれば、支持部材を小さくすることが可能であるとともに、商品見本の支持を容易に行うことが可能である。
【実施例１】
【００２６】
本発明の自動販売機における商品見本展示装置（以下単に「商品見本展示装置」という。）の実施例について図面を参照して説明すると、図１は、本実施例の商品見本展示装置を説明するための斜視図であり、また図２は本実施例の商品見本展示装置の側面を示す図であり、図において１が本実施例の商品見本展示装置である。
【００２７】
また、図において１７は、自動販売機内に展示される商品見本であり、本実施例において商品見本は、飲料缶の見本缶としており、ＰＥＴ等の透光性の樹脂により形成された半円筒状としている。
【００２８】
そして、本実施例の商品見本展示装置１は、この商品見本１７を、自動販売機におけるフロント扉の商品見本収納空間内に展示可能としている。
【００２９】
即ち、図において２が支持部材であり、本実施例においては、この支持部材２によって前記商品見本１７を支持することとしている。
【００３０】
ここで、前記支持部材２について説明すると、図において、本実施例における支持部材２は、平板状の底面部３０１と、この底面部３０１の後端部分に、底面部３０１と直交する上方へ向けて連設された平板状の背面部３０２とを具備しており、平板状の素材を、側面形状が略Ｌ字状になるようにした本体部３を有している。
【００３１】
そして、この本体部３は、商品見本を支持可能な幅を有しており、具体的に本実施例においては、支持する商品見本の幅と同等寸法の幅としている。但し、支持部材２の幅寸法、形状は特に限定されず、商品見本を支持可能であればいずれでもよい。
【００３２】
また、本実施例において前記本体部３は、ＰＥＴ等の柔軟な樹脂素材により形成されており、更に、透光性を有している。
【００３３】
次に、本実施例において前記支持部材２は、連結部と、この連結部が接続された導線を有しており、連結部を、自動販売機における商品選択ボタンに電源を供給する導線に接続することとしている。具体的には、自動販売機の商品選択ボタンの裏面に、自動販売機における商品選択ボタンに電源を供給する導線に電気的に接続された端子（以下「接続端子」と言う。）を配設し、この接続端子に前記連結部を接続することとしている。
【００３４】
即ち、図において４が連結部であり、この連結部４は、前記底面部３０１の先端部分に、底面部３０１から突出する形態で備えられている。
【００３５】
一方、前記底面部３０１内には、導線５が挿装されており、前記連結部４の基端部分は、前記導線５に接続されている。
【００３６】
そして、前記連結部４を、前記接続端子に接続することで、前記支持部材２は、自動販売機のフロント扉に係止可能としている。
【００３７】
次に、図において６は、商品見本を支持部材２に係止するための係止部材であり、本実施例において前記係止部材６は、商品見本を商品見本の左右側から挟持する一対の挟持片としている。
【００３８】
そして、本実施例において前記係止部材６は、前記背面部３０２の側面部分に、正面側へ向けて、更に商品見本を挟持可能なように湾曲させた形状で連設されている。但し、係止部材６の形態は必ずしもこの構成には限定されず、商品見本を支持可能な形状であればいずれでもよく、また、必ずしも係止部材は必要なものではなく、支持部材に商品見本を支持可能であれば良く、支持の方法、及び手段は限定されない。
【００３９】
次に、図において７は光源としてのＬＥＤである。即ち、本実施例の商品見本展示装置１は光源としてのＬＥＤを有しており、この光源７によって、支持部材２で支持している商品見本を照らすこととしている。
【００４０】
そして、本実施例において前記光源７は、前記支持部材２の本体部３を構成する背面部３０２の上方部分に配設されており、即ち前記支持部材２が、商品見本１７を前記光源７の前面側で支持しており、これにより、光源７は、商品見本１７を商品見本１７の背後から照らすこととしている。そのため、光源７によって、商品見本１７を十分に浮かび上がらせることが可能である。
【００４１】
なお、光源７としては、消費電力が少ないＬＥＤを採用するのが好ましいが、必ずしもＬＥＤには限定されず、商品見本を照ことが可能な手段であればいずれでもよい。また、図１においては、光源７は前記背面部３０２の上方部分に１個配設されているが、この配設箇所及び個数も特に限定されない。
【００４２】
次に、図において８は、前記光源７に電源を供給するためのリード線であり、本実施例において前記リード線８は、図２にも示されるように、前記背面部３０２を縫うようにして支持部材２の背面部３０１に係止されており、その先端部は、前記底面部３０１内に挿装した導線５に接続され、リード線８を介して光源７を支持部材２で支持している。
【００４３】
従って、前記連結部４を前記接続端子に接続することで、前記光源７を、自動販売機における商品選択ボタンに電源を供給する導線に接続し、光源７に電源を供給可能としている。なお、図においては、接続端子を雌型の端子として、連結部４を雄型としているが、必ずしもこの形態には限定されず、自動販売機における商品選択ボタンに電源を供給する導線に電気的に接続された接続端子と連結部４が接続できればよい。
【００４４】
次に、このように構成される本実施例の自動販売機における商品見本展示装置の作用について説明すると、本実施例の商品見本展示装置１を用いて、自動販売機におけるフロント扉の商品見本収納空間内に商品見本を展示する場合には、前記係止部材６を用いて支持部材２に商品見本を支持し、この状態において、前記連結部４を前記接続端子に接続する。
【００４５】
そうすると、前記支持部材２が自動販売機のフロント扉の裏面側に係止され、これにより、支持部材２に支持されている商品見本が商品見本収納空間内に展示されるとともに、自動販売機のフロント扉の商品選択ボタンに供給される電源が光源７にも供給され、これによって、光源７が点灯して、光源７によって商品見本を照らして、商品見本を目立たせることが可能となる。
【００４６】
この状態を示した側断面図が図３であり、図において１１は自動販売機のフロント扉であり、１３がフロント扉のバックパネル（図１１における後方側扉３５に相当する。）、１２が商品見本を展示するための商品見本収納空間、そして、１７が商品見本であり、この商品見本１７は、本実施例の自動販売機における商品見本展示装置１に支持された状態で、前記商品見本収納空間１２内に展示されている。
【００４７】
また、図において１４が商品選択ボタンであり、フロント扉１１における前記商品選択ボタン１４の裏面側には、商品選択ボタン１４に電源を供給するための導線に接続された接続端子１５が備えられており、この接続端子１５に前記連結部４を挿入することで、連結部４を自動販売機のフロント扉の商品選択ボタンに電源を供給する導線に接続することが可能となる。なお、図において１６は、商品値段等が表示されたデータ表示部である。
【００４８】
このように、本実施例の本実施例の自動販売機における商品見本展示装置では、支持部材２に商品見本１７を支持した状態で、自動販売機における商品選択ボタンに電源を供給する導線に電気的に接続された接続端子１５に支持部材２の連結部４を接続することのみで、自動販売機の商品見本収納空間１２内に商品見本１７を展示することができるとともに、この商品見本１７を光源７によって商品見本を照らすことができる。
【００４９】
そのために、光源７の電源を確保するための配線等が不要になるとともに、サンプルステージ等を用いる必要が無くなるので、特に複雑な構造を採用することなく、光源の電源を確保することができ、また、商品見本の装着作業が極めて容易となり、更に、サンプルステージの存在による影ができることもない。
【００５０】
また、前記支持部材２をＰＥＴ等の樹脂製の柔軟で透光性を有する素材で構成するとともに、商品見本１７を前記光源７の前面側で支持しているため、光源７が効果的に商品見本１７を照らすことができるとともに、支持部材２の後方側を明るくすることも可能である。
【００５１】
更に、サンプルステージを用いていないために、バックパネル１３へのポスター、看板の装着が容易かつ自由になるという効果がある。
【００５２】
即ち、サンプルステージを用いていた従来の方法では、サンプルステージをバックパネルに装着していたために、バックパネルに商品宣伝のためのポスターを装着する場合には、サンプルステージを装着していない箇所にしか装着できず、そのために装着作業が面倒であった。しかし、本実施例では、サンプルステージを用いていないために、図３に示されるように、バックパネル１３と商品見本１７との間に空間が形成される。そのため、バックパネル１３の正面側は、全面を自由に使用できることとなるので、例えばオフセット印刷で印刷した大きなポスターをバックパネル１３に貼ることもでき、ポスターのコスト、装着の手間を抑えることができ、更にその他、従来はフロント扉の外側に貼着していた広告をバックパネル１３に容易に貼り付けることも可能となる。
【００５３】
次に、図４は、本発明の自動販売機における商品見本展示装置の他の実施例を示す斜視図であり、本実施例の自動販売機における商品見本展示装置では、支持部材２を構成する本体部３の背面部３０２に、文字、模様を表示したことを特徴としている。
【００５４】
即ち、図において１８が文字部分であり、本実施例では、背面部３０２の上部部分に「コーヒー」の文字を表示しており、また、背面部３０２の中間部分以下には複数個の星のマーク１９を表示しており、これにより、これらの文字、模様がバックパネル１３に投影されるようにしている。
【００５５】
従って、本実施例の自動販売機における商品見本展示装置では、面倒な作業を行うことなく、商品見本の背面側のバックパネル１３に所望する文字、模様、絵等を表示することが可能となる。
【００５６】
なお、文字、模様、絵等の表示方法は特に限定されず、バックパネル１３に投影されるように、光を通さないインク等で印刷する方法、テープを貼る方法等が考えられ、またその他、透光性を有しない素材で支持部材２を形成し、この支持部材２をくりぬくことで文字、模様、絵等を表示して、これにより、くりぬいた文字、模様、絵等がバックパネル１３に表示されるようにしてもよい。
【００５７】
なお、前述の実施例のいずれの場合も、支持部材に連結部４を備えて、この連結部４を介して、前記光源７を自動販売機における商品選択ボタンの端子１５に接続することとしているが、本発明において、前記光源７を自動販売機における商品選択ボタンの端子１５に接続する方法は必ずしもこの方法には限定されず、その他の方法でもよい。例えば、図５に示すように、光源７に接続されたリード線８の先端を直接、前記接続端子１５に接続してもよく、この場合には、支持部材２における底面部３０１の先端部分をフロント扉１２の裏面側に接着材等で接着するとよい。
【００５８】
また、本発明において前記支持部材２は、必ずしも透光性を有する必要はないが、透光性を備えた場合には、その全体あるいは一部を、カラーの素材により形成し、バックパネルがカラーになるようにしてもよい。
【００５９】
次に、図６は、本発明の自動販売機における商品見本展示装置の他の実施例を示す斜視図であり、図６に示す自動販売機における商品見本展示装置では、光源７をリード線８のみで支持している。即ち、ＬＥＤ等の光源に接続されるリード線の中には針金状の硬質のものが存在しているが、図６に示す形態では、この針金状の硬質のリード線８を光源７に接続するとともに、この硬質のリード線８の先端を前記接続端子に接続し、これにより、光源７を、リード線８のみで支持することとし、商品見本を支持するための支持部材２は、その先端部分をフロント扉の裏面に接着等によって装着することとしている。
【００６０】
次に、図７乃至図９は、本発明の自動販売機における商品見本展示装置の他の実施例を説明するための図であり、図７乃至図９に示す自動販売機における商品見本展示装置では、前記図６に示した自動販売機における商品見本展示装置と同様に、針金状の硬質のリード線８を用いてリード線８のみで光源７を支持することとするとともに、この光源７に支持部材２を支持することとしている。
【００６１】
即ち、図７において支持部材２は、針金状の素材により構成しており、商品見本の天井部の裏面に当接するリング状の支持部２０１と、光源７に周設する形態で光源７に被せられるコイル状の係止部２０３と、支持部２０１と係止部２０３を連通する略直線状の連通部２０２とで構成されている。
【００６２】
そして、係止部２０３を光源７に被せることで、支持部材２を光源７に支持することとしており、図８に示されるように、光源７に支持部材２を支持した状態で、支持部材２の支持部２０１上に商品見本１７を乗せることで、支持部材２に商品見本１７を支持することとしている。この状態を示した図が図９である。
【００６３】
このように、図７乃至図９に示す形態では、針金状の硬質のリード線８を用いてリード線８のみで光源７を支持するとともにこの光源７に支持部材２を支持することとしているため、支持部材２を小さくすることができコストを抑えることが可能であるとともに、支持部材２の装着、及びこの支持部材２による商品見本１７の支持を容易に行うことが可能である。
【００６４】
なお、図７乃至図９においては、支持部２０１をリング状とし、係止部２０３をコイル状とした場合を説明したが、支持部２０１は。商品見本を支持可能な形状であれば何れの形状でもよく、また係止部２０３も光源７に被せることができる形状であればいずれの形状でもよい。
【００６５】
また、本発明において前記光源７は、前述したように、必ずしもＬＥＤには限定されず、商品見本を照らすことが可能な手段であればいずれの手段でもよい。
【産業上の利用可能性】
【００６６】
本発明の自動販売機における商品見本展示装置では、商品見本の装着作業を容易にするとともに、商品見本を展示するための複雑な構造を不要にしているために、商品見本を備える自動販売機の全般に適用可能である。
【符号の説明】
【００６７】
１    商品見本展示装置
２    支持部材
２０１    支持部
２０１    連通部
２０３    係止部
３    本体部
３０１    底面部
３０２    背面部
４    連結部
５    導線
６    挟持部
７    光源（ＬＥＤ）
８    リード線
９    ＬＥＤ
１１    フロント扉
１２    商品収納空間
１３    バックパネル
１４    商品選択ボタン
１５    商品選択ボタンの端子
１６    データ表示部
１７    商品見本
１８    文字表示部分
１９    模様表示部分
【図１】
2011221849.tif 000003
【図２】
2011221849.tif 000004
【図３】
2011221849.tif 000005
【図４】
2011221849.tif 000006
【図５】
2011221849.tif 000007
【図６】
2011221849.tif 000008
【図７】
2011221849.tif 000009
【図８】
2011221849.tif 000010
【図９】
2011221849.tif 000011
【図１０】
2011221849.tif 000012
【図１１】
2011221849.tif 000013